(57)【要約】      （修正有）【課題】自由度が高く、杭相互間を簡便に確実に接続できる杭接続金具を提供する。【解決手段】側壁２６に１本の帯状の切れ目２８を設けた断面Ｃ字状の環であって、地面に打ち込まれたパイプ状の第一の杭１４の上端部１６内面に溶接される下半部２４と、第一の杭１４の上端部１６に下端部２０を接続される第二の杭１８の内面に溶接される上半部２２とを有し、下半部２４は第一の杭１４の内壁に弾力によりその外面を密着させる均一な外径のＣ字状の側壁２６を有し、上半部２２には、少なくとも最上端３０近傍に側壁２６の外径を最上端３０に向かって次第に縮小せるテーパ部３２を有する。下半部２４が、第一の杭１４の内壁に弾力によりその外面を密着させるので、最初の位置決めと溶接作業が容易である。最上端３０近傍にテーパ部３２を有するので、第二の杭１８を簡単に接続し、位置決めして、溶接できる。【選択図】図１
0003158573.tif 000002
【実用新案登録請求の範囲】
【請求項１】
側壁に１本の帯状の切れ目を設けた断面Ｃ字状の環であって、地面に打ち込まれたパイプ状の第一の杭の上端部内面に溶接される下半部と、前記第一の杭の上端部に下端部を接続される第二の杭の内面に溶接される上半部とを有し、    前記下半部は前記第一の杭の内壁に弾力によりその外面を密着させる均一な外径のＣ字状の側壁を有し、前記上半部には、少なくとも最上端近傍に前記側壁の外径を最上端に向かって次第に縮小せるテーパ部を有することを特徴とする杭接続金具。
【請求項２】
請求項１に記載の杭接続金具において、  外力を加えない状態で、前記下半部の外径は前記第一の杭の内径よりも大きく、外力を加えて前記帯状の切れ目を縮めたときに前記下半部の外径は前記第一の杭の内径よりも小さいことを特徴とする杭接続金具。
【考案の詳細な説明】
【技術分野】
【０００１】
本考案は、建物の基礎に使用するパイプ状の杭を接続するために使用する杭接続金具に関する。
【背景技術】
【０００２】
地盤の弱い場所に建物を建設するとき、その基礎にパイプ状の杭を使用する工法がある。杭の先端は硬い岩盤まで打ち込まれる。岩盤が深い場所にあると、杭を何本も接続しながら打ち込む。このときの杭の接続構造が各種開発されている（特許文献１）（特許文献２）（特許文献３）。
【先行技術文献】
【特許文献】
【０００３】
【特許文献１】特開２００５−２８２１８４号公報
【特許文献２】特開２００５−２８２１８７号公報
【特許文献３】特開２００８−２３１７３３号公報
【考案の概要】
【考案が解決しようとする課題】
【０００４】
既知の従来の技術には、次のような解決すべき課題があった。  従来の杭の接続構造は、いずれも複雑である。従って部品が高価である。また、施工や組立に時間がかかるものも多い。さらに現場でサイズ合わせをしたり、突き合わせ接続される杭の芯合わせをしたりする作業も必要になる。また、溶接をする場合に、密着が悪いと良好な施工が難しく強度が不足する場合もある。  本考案は、以上の点に着目してなされたもので、自由度が高く、杭相互間を簡便に確実に接続できる杭接続金具を提供することを目的とする。
【課題を解決するための手段】
【０００５】
以下の構成はそれぞれ上記の課題を解決するための手段である。  〈構成１〉  側壁に１本の帯状の切れ目を設けた断面Ｃ字状の環であって、地面に打ち込まれたパイプ状の第一の杭の上端部内面に溶接される下半部と、前記第一の杭の上端部に下端部を接続される第二の杭の内面に溶接される上半部とを有し、  前記下半部は前記第一の杭の内壁に弾力によりその外面を密着させる均一な外径のＣ字状の側壁を有し、前記上半部には、少なくとも最上端近傍に前記側壁の外径を最上端に向かって次第に縮小せるテーパ部を有することを特徴とする杭接続金具。  
【０００６】
〈構成２〉  構成１に記載の杭接続金具において、外力を加えない状態で、前記下半部の外径は前記第一の杭の内径よりも大きく、外力を加えて前記帯状の切れ目を縮めたときに前記下半部の外径は前記第一の杭の内径よりも小さいことを特徴とする杭接続金具。
【考案の効果】
【０００７】
〈構成１の効果〉  下半部が、第一の杭の内壁に弾力によりその外面を密着させるので、最初の位置決めと溶接作業が容易である。最上端近傍にテーパ部を有するので、第二の杭を簡単に接続し、位置決めして溶接できる。  〈構成２の効果〉  外力を加えない状態で、下半部の外径が第一の杭の内径よりも大きければ、杭接続金具を第一の杭に簡単に位置決めできて、落下もしない。
【図面の簡単な説明】
【０００８】
【図１】実施例１の杭接続金具１０で、（ａ）は外観斜視図、（ｂ）は縦断面図、（ｃ）は杭接続後の状態の縦断面図である。
【図２】杭接続金具１０を下側の杭に装着する直前の工程を示す斜視図である。
【図３】杭接続金具１０を下側の杭に仮止めする工程を示す斜視図である。
【図４】杭接続金具１０を上下の杭に溶接する直前の工程を示す斜視図である。
【考案を実施するための形態】
【０００９】
以下、本考案の実施の形態を実施例毎に詳細に説明する。
【実施例１】
【００１０】
図１は実施例１の杭接続金具１０で、（ａ）は外観斜視図、（ｂ）は縦断面図、（ｃ）は杭接続後の状態の縦断面図である。  図の（ａ）に示すように、杭接続金具１０は、側壁２６に１本の帯状の切れ目２８を設けた断面Ｃ字状の環である。この杭接続金具１０は、鋼板をプレスして製造したり、鋼管を切削後プレス加工して製造される。材質は、基礎に使用するパイプ状の杭に溶接ができる、鋼材等でよい。  
【００１１】
この杭接続金具１０は、図の（ｂ）に示すように、適当な長さの均一な外径Ａの側壁２６を備える。そして、少なくとも最上端３０近傍に側壁２６の外径を最上端３０に向かって次第に縮小せるテーパ部３２を有する。一方、地面に打ち込まれるパイプ状の杭は、いずれも、内径Ｂのものである。パイプ状の杭の内径Ｂよりも杭接続金具１０の外径Ａのほうが若干大きくなるように設計されている。  
【００１２】
図の（ｃ）に示すように、杭接続金具１０は、２本の杭を接続するために使用される。２本の杭のうち一方の杭、即ち、パイプ状の第一の杭１４は、既に地面に打ち込まれて、その上端部１６を地上に露出させている。ここに、杭接続金具１０を装着し、溶接をしてから第二の杭１８の下端部２０を装着してその接続部を溶接する。溶接接続後は、溶接部３６が外部から見える状態になる。  
【００１３】
上記の杭接続金具１０は、上半部２２と下半部２４とを有する。下半部２４は、第一の杭１４の上端部１６に嵌め込まれ、第一の杭１４の上端部１６や内面に溶接される。上半部２２には、上記のテーパ部３２が設けられており、第二の杭１８に挿入し易くなっている。上半部２２は、第二の杭１８の下端部２０や内面に溶接される。  
【００１４】
ここで、杭接続金具１０は、外力を加えない図１（ａ）の状態で、（ｂ）に示す下半部２４の外径Ａが（ｃ）に示す第一の杭１４の内径Ｂよりも大きい。従って第一の杭１４の上端部１６付近に杭接続金具１０を乗せても、杭接続金具１０が第一の杭１４の内部に落下したりしない。そして、杭接続金具１０に外力を加えて帯状の切れ目２８を縮めたときに、下半部２４の外径Ａは第一の杭１４の内径Ｂよりも小さくなる。これにより、杭接続金具１０の下半部２４が第一の杭１４の上端部１６にはまり込む。  
【００１５】
さらに、杭接続金具１０の下半部２４は、図１（ｃ）に示すように、第一の杭１４の内壁に弾力によりその外面を密着させる。従って、位置を決めた後で強い外力を加えない限り、杭接続金具１０は第一の杭１４に対して図１（ｃ）のような一定の状態でそのまま移動しない。この状態で、杭接続金具１０と第一の杭１４の溶接接続作業が容易に出来る。  
【００１６】
また、仮に、杭接続金具１０を全体として均一な外径にしておくと、杭接続金具１０を第一の杭１４に溶接した後は、外径全体がＢになり、杭接続金具１０を第二の杭１８の下端部２０に挿入し難くなる。そこで、本考案では、杭接続金具１０の上半部２２にテーパ部３２を設けて、第二の杭１８の下端部２０への挿入を容易にした。  
【００１７】
図２〜図４は、杭接続金具１０を使用した杭の接続工事の各工程を示す斜視図である。図２は、杭接続金具１０を下側の杭に装着する直前の工程を示す斜視図である。  まず始めに、第一の杭１４を地面に打ち込む。そして、第一の杭１４の上端部１６を地上の作業しやすい高さに位置させる。次に、杭接続金具１０を用意する。そして、杭接続金具１０の下半部２４の外周に圧力を加えて、切れ目２８を縮めると、杭接続金具１０が第一の杭１４の上端部１６の内部に挿入される。その後、杭接続金具１０に加えていた圧力を開放する。これにより、杭接続金具１０が位置決めされ、図３の状態に移行する。  
【００１８】
図３は、杭接続金具１０を下側の杭に仮止めする工程を示す斜視図である。  図３では、第一の杭１４の上端部１６に杭接続金具１０が嵌め込まれている。ここで、第一の杭１４の上端部１６と杭接続金具１０の下半部２４とを溶接する。このときの溶接は、杭接続金具１０が、第二の杭１８を接続するときに受ける外力で移動しないように仮留めする程度で構わない。杭接続金具１０の下半部２４は、第一の杭１４の内壁に弾力によりその外面を密着させるので、最初の位置決めと溶接作業が容易である。続いて、第二の杭１８の下端部２０を杭接続金具１０に接近させる。テーパ部３２の作用により、杭接続金具１０を第二の杭１８の下端部２０に簡単に挿入できる。  
【００１９】
図４は、杭接続金具１０を上下の杭に溶接する直前の工程を示す斜視図である。  一点鎖線の円内に部分拡大図を示したように、杭接続金具１０の上半部２２と下半部２４の一部が、いずれも第一の杭１４の上端部１６と第二の杭１８の下端部２０の間の隙間に露出している。この状態で第一の杭１４と第二の杭１８を保持する。第二の杭１８は図示しないクーレーン等で吊り下げられており、この状態で一時保持することができる。  
【００２０】
その後、第二の杭１８の下端部２０と第一の杭１４の上端部１６の間の隙間に図示しない溶接バーナーを当てて、溶接作業をする。これにより、図１（ｃ）に示すような断面の杭接続部が形成される。  
【００２１】
なお、上記の図面に例示した杭接続金具１０の形状はこれに限定されない。上半部２２と下半部２４の長さの違うものや、外径の違うものを各種用意するとよい。こうして、杭接続金具１０を様々なサイズの杭の接続に使用できる。構造が簡単で低コストが実現できるので、余分に準備しておいて、現場で最適なものを選ぶことができる。さらに構造が簡単なので、溶接面を予め清浄化する場合の作業も簡単になるという効果もある。
【符号の説明】
【００２２】
１０  杭接続金具１４  第一の杭１６  上端部１８  第二の杭２０  下端部２２  上半部２４  下半部２６  側壁２８  切れ目３０  最上端３２  テーパ部３４  溶接部
【図１】
0003158573.tif 000003
【図２】
0003158573.tif 000004
【図３】
0003158573.tif 000005
【図４】
0003158573.tif 000006